(57)【要約】【課題】  小型化が図られ得、どの向きの回転でも接点端子に対する接点バネとして機能し得る接点バネ構造体、これを備えた接点装置及び電子時計の提供【解決手段】  電子時計の接点装置２の接点バネ構造体１は、回転中心軸線Ｃを取囲む領域に拡がった基体部３２と、該基体部３２から連続的に円弧状に延びたバネ部４０と、円弧状バネ部４０の先端部４１の外周側において半径方向外向きに突出した接点端子部４２と、バネ部４０の先端部の内周側において半径方向内向きに突出した突起部４３とを有する。接点端子部４２が外側側縁部４８，４９で接点端子６１，６２に接触する際に、突起部４３のうちバネ部４０の先端部４１とは反対側の側縁部４３ｂが基体部３２に対して先端部４１とは反対向きＡに周方向に変位されるのを規制すると共に突起部４３の半径方向内向きＱ１への移動を案内する案内部３３，３４が設けられている。【選択図】図６
2006214887.tif 000002
【特許請求の範囲】
【請求項１】
回転中心軸線の近傍に位置する基体部と、
該基体部から連続的に円弧状に延びたバネ部と、
円弧状バネ部の先端部の外周側において半径方向外向きに突出した接点端子部と、
前記バネ部の先端部の内周側において半径方向内向きに突出した突起部と
を有し、回転中心軸線のまわりで回転される接点バネ構造体であって、
前記接点端子部が外側側縁部で接点端子に接触する際に、突起部のうちバネ部の先端部とは反対側の側縁部が基体部に対して先端部とは反対向きに周方向に変位されるのを規制すると共に突起部の半径方向内向きへの移動を案内する案内部が設けられた
接点バネ構造体。
【請求項２】
基体部が回転中心軸線のまわりで回転されて接点端子部が外側側縁部で接点端子に接触する際に、突起部の半径方向内向きへの移動を許容する凹部を、前記基体部が備え、
突起部のうちバネ部の先端部とは反対側の側縁部が先端部とは反対向きに周方向に変位されるのを規制する側壁部を基体部の凹部が備え、
前記案内部が、前記凹部の前記側壁部からなる請求項１に記載の接点バネ構造体。
【請求項３】
円弧状バネ部が１８０度以上の角度範囲にわたって周方向に延びている請求項１又は２に記載の接点バネ構造体。
【請求項４】
全体が一体的な平板状部材からなる請求項１から３までのいずれか一つの項に記載の接点バネ構造体。
【請求項５】
請求項１から４までのいずれか一つの項に記載の接点バネ構造体と、
該接点バネ構造体の回転中心軸線を中心として周方向に間隔をおいて配置された複数の接点端子とを有する接点装置。
【請求項６】
接点バネ構造体が２４時間車の回転に応じて回転するように構成された請求項５に記載の接点装置。
【請求項７】
請求項１から４までのいずれか一つの項に記載の接点バネ構造体又は請求項５若しくは６に記載の接点装置を有する電子時計。
【発明の詳細な説明】
【技術分野】
【０００１】
本発明は、電子時計の接点装置に用いられるに適した接点バネ構造体、並びにこれを備えた接点装置及び電子時計に係る。
【背景技術】
【０００２】
時分秒の情報のみでなく閏年等を含む年月日情報を内部に保持し、月が変わるごとに自動的に日付を更新する月末無修正機能を備えた時計は、知られている（例えば、特許文献１）。
【０００３】
この種の時計で時刻表示針を備えたアナログ時計は、２４時間で一回転する２４時間車を備え、２４時になる毎に、日送りをする。２４時になったことは、２４時間車と連結された接点バネ構造体の接点端子部が所定のスイッチ端子（接点端子）に接触することにより、判定される。
【０００４】
この種の時計の接点バネ構造体が占有し得る直径が２〜３ｍｍ程度の大きさであることから、接点バネ構造体は、複数の部品の組合せではなくて実際上一体的な部品からなることが望ましい。
【０００５】
特許文献１の接点バネ構造体が単一の部品からなると仮定して特許文献１中の図面に開示を敢えて読取れば（特許文献１には詳細な構造についての説明がない）、接点バネ構造体としてのスイッチバネは片持ち梁状に周方向の一方の向きに延びたバネ部（アーム部）の先端の外周側に接点端子部を備えると思われる。その場合、接点バネ構造体を含むスイッチ車が接点バネ構造体がバネ部の延在方向に回る際にバネ部の先端の接点端子部がスイッチ端子（接点端子）に当接すると、接点バネ構造体のバネ部（アーム部）に対して該バネ部（アーム部）の延在方向とほぼ平行な向きに圧縮応力がかかり、バネ部（アーム部）の座屈が生じる虞れがある（なお、特許文献１の図面に開示されていると思われる接点バネ構造体と同様な接点バネ構造体について、比較例として図９に示し後述する）。
【０００６】
なお、この種のアナログ時計を例えば時差のある地域で使用する場合、時刻表示針を時差分だけ進めたり遅らせる必要があり、該時刻表示針の針回しに応じて、２４時間車及び接点バネ構造体も時計回り及び反時計回りの両方に回転され得る必要がある。従って、特許文献１に開示の接点バネ構造体では、この要求を満たし難い虞れがある。
【特許文献１】特開平１１−１９０７８１号公報、図５のスイッチ車、スイッチバネ及びスイッチ端子並びにこれらを説明する明細書部分
【発明の開示】
【発明が解決しようとする課題】
【０００７】
本発明は前記諸点に鑑みなされたものであって、その目的とするところは、小型化が図られ得、いずれの向きに回転されても接点端子に対する接点バネとして機能し得る接点バネ構造体、並びにこれを備えた接点装置及び電子時計を提供することにある。
【課題を解決するための手段】
【０００８】
本発明の接点バネ構造体は、前記目的を達成すべく、回転中心軸線の近傍に位置するた基体部と、該基体部から連続的に円弧状に延びたバネ部と、円弧状バネ部の先端部の外周側において半径方向外向きに突出した接点端子部と、バネ部の先端部の内周側において半径方向内向きに突出した突起部とを有し、回転中心軸線のまわりで回転される接点バネ構造体であって、接点端子部が外側側縁部で接点端子に接触する際に、突起部のうちバネ部の先端部とは反対側の側縁部が基体部に対して先端部とは反対向きに周方向に変位されるのを規制すると共に突起部の半径方向内向きへの移動を案内する案内部が設けられている。
【０００９】
本発明の接点バネ構造体では、「回転中心軸線の近傍に位置する基体部と、該基体部から連続的に円弧状に延びたバネ部と、円弧状バネ部の先端部の外周側において半径方向外向きに突出した接点端子部と」が設けられているので、接点端子部はバネ部を介して基体部によって片持ち状に支持されることになるから、接点端子部を弱い力で弾性支持し得、これらの部分が一体的に形成され得る結果、小型化が図られ得る。従って、接点バネ構造体が基体部から接点端子部へのバネ部の延在方向とは反対向きに回転される場合には、バネ部の先端部が半径方向内向きに変位されるようにバネ部が容易に撓みつつ接点端子部が接点端子に押付けられ得る。また、本発明の接点バネ構造体では、更に、「バネ部の先端部の内周側において半径方向内向きに突出した突起部が設けられ、接点端子部が外側側縁部で接点端子に接触する際に、突起部のうちバネ部の先端部とは反対側の側縁部が基体部に対して先端部とは反対向きに周方向に変位されるのを規制すると共に突起部の半径方向内向きへの移動を案内する案内部が設けられている」ので、接点バネ構造体が基体部から接点端子部へのバネ部の延在方向に回転される場合には、接点端子部が接点端子に接触する際に、基体部の案内部が、突起部のうちバネ部の先端部とは反対側の側縁部が先端部とは反対向きに周方向に変位されるのを、規制しつつ、突起部の半径方向内向きへの移動を許容する。従って、接点端子部が接点端子に当接した後、接点構造体の回転に伴って、バネ部を座屈させるような力が働く前に、接点端子部が案内部により案内されて半径方向内向きに後退することにより、バネ部が確実に一方向に撓み得るから、バネ部に座屈が生じることなく接点端子部と接点端子との接触の解除が確実に行われ得る。すなわち、接点バネ構造体の接点端子部と接点端子との接離が安定に行われ得る。
【００１０】
なお、接点バネ構造体が基体部から接点端子部へのバネ部の延在方向とは反対方向に回転される場合には、接点バネ構造体の接点端子部が接点端子に接触した際に、接点バネ構造体のバネ部は、容易にバネ部の延在方向に撓み得るから、バネ部に座屈が生じることなく接点端子部と接点端子との接触の解除が確実に行われ得、接点バネ構造体の接点端子部と接点端子との接離が安定に行われ得る。典型的には、この場合にも、接点端子部が大きく周方向に変位するのを避けるために、前記案内部と同様な別の案内部が設けられる。
【００１１】
接点バネ構造体が板金の打抜き加工により形成される場合、基体部と突起部とは、典型的には、同一平面上にある。但し、両者が同一平面上になくてもよく、その場合、案内部と突起部とが少なくとも一部において同一平面上にある。
【００１２】
案内部は、凸状部などどのようなものであってもよいけれども、典型的には、側壁を備えた凹部からなる。すなわち、本発明の接点構造体では、典型的には、基体部が回転中心軸線のまわりで回転されて接点端子部が外側側縁部で接点端子に接触する際に、突起部の半径方向内向きへの移動を許容する凹部を、前記基体部が備え、突起部のうちバネ部の先端部とは反対側の側縁部が先端部とは反対向きに周方向に変位されるのを規制する側壁部を基体部の凹部が備え、前記案内部が、前記凹部の前記側壁部からなる。
【００１３】
その場合、接点バネ構造体が基体部から接点端子部へのバネ部の延在方向に回転される場合には、接点端子部が接点端子に接触する際に、基体部の凹部が、突起部のうちバネ部の先端部とは反対側の側縁部が先端部とは反対向きに周方向に変位されるのを、その側壁部において規制しつつ、突起部の半径方向内向きへの移動を許容する。
【００１４】
本発明の接点バネ構造体では、典型的には、円弧状バネ部が１８０度以上の角度範囲にわたって周方向に延びている。これにより、接点バネ構造体の接点端子部が接点端子からの押圧力を受ける場合に、円弧状バネ部のうち接点端子部近傍の部分が押圧力の方向にほぼ平行な向きに伸びていても、円弧状バネ部のうち接点端子部から離れた離間部分が押圧力の方向に対して交差する向きに延びるので、該離間部分が弾性的に曲がることにより、押圧力を吸収し得るから、座屈などが生じる虞れが少ない。従って、接点バネ構造体の小型化も図られ得る。
【００１５】
本発明の接点バネ構造体では、典型的には、全体が一体的な平板状部材からなる。すなわち、本発明の接点バネ構造体では、上述したような形状を備えるので、全体を一体的な平板状部材で構成しても、いずれの方向の回転に関しても接点端子に対するバネとして機能し得る。その結果、部品点数を最低限に抑え得る。但し、所望ならば、別部品を組合わせてなる構造体であってもよい。
【００１６】
従って、本発明の接点装置は、上述のような接点バネ構造体と、該接点バネ構造体の回転中心軸線を中心として周方向に間隔をおいて配置された複数の接点端子とを有する。接点端子の数は、典型的には、二つである。但し、所望ならば、より多数の接点端子が設けられていてもよい。
【００１７】
これにより、接点バネ構造体では、接点端子部が接点端子に接触する順序により、実際上、接点構造体の回転方向を推定し得る。なお、接点端子の数が二つである場合、実際には、回転速度が極めて大きいか小さい場合には、接点構造体の回転方向が逆向きと判定される虞れがあるので、関連する他の部分の回転情報を別途検出し、二箇所で判定した回転情報から、接点構造体の回転方向を確定する。
【００１８】
本発明の接点装置では、典型的には、接点バネ構造体が２４時間車の回転に応じて回転するように構成されている。但し、接点バネ構造体は、他の目的で利用されていもよい。
【００１９】
接点バネ構造体が２４時間車の回転に応じて回転され、且つ接点端子が二つからなる場合、典型的には、２４時間車よりも回転速度がはるかに大きい巻真の回転回数を別途検出することにより、二つの接点端子に接触する間における接点バネ構造体の回転方向を確定する。但し、所望ならば、他の手段で、回転方向を検出してもよい。
【００２０】
本発明の電子時計は、上述のような接点バネ構造体ないし上述のような接点装置を有する。
【発明を実施するための最良の形態】
【００２１】
本発明の好ましい一実施の形態を添付図面に示した好ましい一実施例に基づいて説明する。
【実施例】
【００２２】
図１には、本発明による好ましい一実施例の接点バネ構造体としての接点バネ１を備えた接点装置としてのスイッチ装置２を有する電子時計３が示されている。電子時計３は、図２に示したように、地板１１と輪列受１２との間に時計輪列２０を有すると共に、各種電気・電子部品と協働して回路ブロック１３を構成する回路基板１４を有する。回路基板１４は、ほぼ長方形状ないし長円形状の開口部ないし穴１４ｄを有する。
【００２３】
電子時計３では、回路基板１４に実装された水晶発振器１５や時計用集積回路１６の制御下で、電池１７による給電を受けて、時計用モータ１８が駆動され、モータ１８のロータ１９の回転が、時計輪列２０を介して時刻表示針（図示せず）に伝えられて時刻表示針が回転される。時計輪列２０は、ロータ１４の回転が伝達される五番車２１、該五番車２１の回転が伝達される四番車（秒車）２２、該四番車２２の回転が伝達される三番車２３、該三番車２３の回転が伝達される二番車（分車）２４、該二番車（分車）２４の回転が伝達される日の裏車２５、及び該日の裏車２５の回転が伝達される筒車（時車）２６を含む。
【００２４】
筒車２６の回転は、図２に示した中間車２７を介して２４時間車（２４時車）２８に伝達される。２４時間車２８の軸ないし２４時間真２９は、回路基板１４の開口部１４ｄ内に延び、該２４時間真２９には、同軸にスイッチ装置２のスイッチ車３０が形成されている。５８は押え板である。
【００２５】
電子時計３は、また、カレンダ用モータ５０を有する。カレンダ用モータ５０のロータ５１の回転は、日回し用輪列５２を介して日車（図示せず）に伝えられて日車が回転される。日回し用輪列５２は、ロータ５１の回転が伝達される第一日回し中間車５３、該第一日回し中間車５３の回転が伝達される第二日回し中間車５４、及び該第二日回し中間車５４と同軸に連結されて該第二日回し中間車５４と一体的に回転される第三日回し中間車（図示せず）を含む。第三日回し中間車の回転は、日回し車（図示せず）を介して、日車に伝達される。
【００２６】
電子時計３は、更に、巻真８０を備え、該巻真８０が、Ｘ方向に二段引出された針回し位置では、例えば、五番車２１の回転が規正された状態で、巻真８０の回転がつづみ車８１及び小鉄車８２を介して日の裏車２５に伝達され、該日の裏車２５の回転に応じて、筒車（時車）２６及びスリップ式の二番車（分車）２４が回転されて、時針及び分針の針合せが行われる。例えば、巻真８０の一回転に対して、分針が１８０度回転される。２４時間車２８を一回転させる間に巻真８０が多数回回転される限り、相対回転数は、異なっていてもよい。
【００２７】
なお、巻真８０の中間部のところには、該巻真８０の回転検出機構８３が設けられ、巻真８０が所定角度回転されるごとに、回転信号Ｓｍ（図示せず）を発する。以下では、一回転毎に一つの回転信号Ｓｍを発するとして説明する。
【００２８】
スイッチ装置２は、２４時間車２８と同軸で２４時間車２８のＡ，Ｂ方向の回転に応じて回転中心軸線ＣのまわりでＡ，Ｂ方向に回転されるスイッチ車３０と、回路基板１３に実装・固定された一対の接点端子としての接点ピン６１，６２とを有する。２４時間車２８は、時車２６が時刻表示針の回転中心軸線Ｃ１のまわりで、通常運針方向（文字板側から見て時計回り）Ｄに回転される際、Ａ方向に回転され、時車２６が反時計回りＥに回転される際、Ｂ方向に回転される。
【００２９】
スイッチ車３０は、回転軸すなわち２４時間真２９と一体的なフランジ状部（鍔部）からなる回転円板３１と、バネ性金属板の打抜き体からなり円板３１に基体部３２で固定された接点バネ１と、板状の接点バネ１に対してＺ方向（中心軸線Ｃの延在方向）に間隔をおいて２４時間真２９の小径部２９ａに嵌着された規制板３９とを有する。基体部３２は、２４時間真２９の近傍に位置し２４時間真２９に直接的又は間接的に固定されて該２４時間真２９と一体的に回転される限り、２４時間真２９の小径部２９ａに嵌着されていなくてもよく、また、回転中心軸線Ｃの全周を取囲む代わりに、周方向の一部にあってもよい。
【００３０】
接点バネ１は、例えば図３からわかるように、基体部３２に加えて、円弧状のバネ部４０と、該バネ部４０の先端部４１の外周側に形成された接点端子部４２と、先端部４１の内周側の内向き突起部ないし尾部４３とを備える。接点バネ部１の外径ないし円弧状バネ部４０の外径は、典型的には、数ｍｍ程度（例えば、２〜３ｍｍ程度）である。但し、より大きくてもより小さくてもよい。
【００３１】
基体部３２は、突起部（尾部）４３の内向きの突出端部４４を受容する凹部３３を有する。すなわち、接点バネ１の突起部４３は、円板３１と規制板３９との間において、端部４４が凹部３３に遊嵌されている。凹部３３は、左右の側壁３４，３５と底壁３６とを備え、基端側（左側）の側壁３４は窪み部３７を備える。凹部３３の幅ないし周方向の長さは、突起部４３の幅よりも十分に大きい。ここで、側壁部３４，３５に関して左側や右側というのは、図３の平面で見た場合の相対位置を指す。左側側壁部３４は、円弧状バネ部４０の延在方向Ｂに沿ってみた場合、該円弧状バネ部４０の基端に近い側に位置する側壁部すなわち基端側側壁部を指し、右側壁部３５は、円弧状バネ部４０の延在方向Ｂに沿ってみた場合、該円弧状バネ部４０の基端から遠い側（より先端側）に位置する側壁部すなわち先端側側壁部を指す。底壁部３６は、突起部４３の突出端部４４の半径方向内向きへの侵入を許容する十分な深さの位置にある。ここで、案内部は、凹部３３の基端側側壁部３４からなり。別の案内部は、凹部３３の先端側側壁部３５からなる。
【００３２】
バネ部４０は、基端部が基体部３２の凹部３３の右側側壁部３５の近傍において基体部３２に一体的に繋がり、該基体部３２から半径方向外向きに延びた短く幅広の半径方向腕部４５と、該腕部４５の半径方向外側端部から概ね円弧に沿って約３００度の角度範囲にわたって延びた円弧状バネ本体部４６とを有する。バネ本体部４６の周方向延在範囲は、１８０度程度以上であることが好ましいけれども、９０度よりも十分に大きければ、場合によっては、１８０度よりも小さくてもよい。基体部３２の凹部３３に突起部４３が遊嵌されることから、バネ本体部３６の円周方向の延在範囲は、３６０度よりも小さい。腕部４５は、幅広で且つ円弧状バネ本体部４６の撓みに伴なう応力集中を避ける円弧状の側面４５ａを備える。４６ａはバネ本体部４６の基部近傍での湾曲を容易にし変形が腕部４５に達するのを実質的に避けるための切欠である。ここで、幅広の半径方向腕部４５から接点部４２のある先端部４１への円弧状バネ本体部４６の延在方向は、通常運針の際の回転方向Ａとは反対方向Ｂである。腕部４５は、バネ部４０の一部とみなす代わりに、基体部３２の一部とみなしてもよい。基体部３２の形状次第では、腕部４５は、なくてもよい。
【００３３】
接点端子部４２は、外力がかかっていない状態では、周方向の中央部４７において半径方向に最も突出し、その両側に、徐々に半径方向内側に位置する左側（基端側）及び右側（先端側）の傾斜側縁部４８，４９を備える。傾斜側縁部４８，４９は、半径方向外向きに凸に湾曲した形状を有する。
【００３４】
回路基板１４の開口部１４ｄ内に位置するスイッチ車３０の２４時間真２９の小径部２９ａの先端２９ｂには、回路基板１４の接点端子１４ａが接触している。
【００３５】
接点端子としての接点ピン６１，６２は、スイッチ車３０が中心軸線Ｃのまわりで回転された際に、スイッチ車３０の接点バネ１の接点端子部４２が傾斜側縁部４８，４９で接触可能な半径位置において周方向に間隔をおいて、回路基板１４に装着されている。接点ピン６１，６２は、相互に同様な形状及び構造を有する。図２からわかるように、接点ピン６２は、先端側及び基端側の軸部分６３ａ，６３ｂからなる軸部６３と、該軸部６３と一体的に軸部分６３ａ，６３ｂ間に形成されたフランジ状部６４とを備え、短い基端側軸部分６３ｂで回路基板１４の孔に嵌着され、フランジ状部６４で回路基板１４の配線パターンの対応する部分１４ｃに半田付されている。接点ピン６１も、図８からわかるように、先端側及び基部側の軸部分６５ａ，６５ｂからなる軸部６５とフランジ状部６６とを備え、フランジ状部６６で回路基板１４の配線パターンの対応する部分１４ｂに半田付されている。
【００３６】
従って、スイッチ車３０のＡ方向又はＢ方向の回転に伴ってスイッチ車３０の接点バネ１が接点ピン６１に接触すると、回路基板１４の接点端子１４ａがスイッチ車３０を介して配線パターン部分１４ｃに電気的につながる。一方、スイッチ車３０のＡ方向又はＢ方向の回転に伴ってスイッチ車３０の接点バネ１が接点ピン６２に接触すると、回路基板１４の接点端子１４ａがスイッチ車３０を介して配線パターン部分１４ｂに電気的につながる。
【００３７】
通常運針状態でスイッチ車３０がＡ方向に回転される場合、スイッチ車３０の接点バネ１が、接点ピン６１に接触して回路基板１４の端子１４ａとパターン１４ｃとが電気的に導通した後、二時間程度経過して接点ピン６２に接触して回路基板１４の端子１４ａとパターン１４ｃとが導通すると、ＩＣ１６の制御下でモータ５０に日送り駆動信号Ｈａ（図示せず）が与えられる。これにより、モータ５０が回転駆動されて日回し用輪列５２を介して日車を順方向に回転させる。なお、月末等では、月や閏年に応じた駆動信号Ｈａがモータ５０に与えられて、所定の表示日数分だけ日送りが行われる。
【００３８】
巻真８０が引出されて針回しが行われる場合にも、時刻表示針が時計回りに回転される場合には、同様な日送り制御が行われる。
【００３９】
一方、巻真８０が引出されて反時計方向の針回しが行われる場合、スイッチ車３０の接点バネ１が、接点ピン６２に接触して回路基板１４の端子１４ａとパターン１４ｃとが導通した後、接点ピン６１に接触して回路基板１４の端子１４ａとパターン１４ｂと導通すると、ＩＣ１６の制御下でモータ５０に逆方向駆動信号Ｈｂ（図示せず）が与えられる。これにより、モータ５０は、逆向きに回転駆動されて日回し用輪列５２を介して日車を逆向きに回転させる。この場合にも、月末等では、月や閏年に応じた逆方向駆動信号Ｈｂがモータ５０に与えられて、日車が所定の表示日数分だけ逆向きに回転される。
【００４０】
なお、針回しの向きは、接点バネ１が二つの接点ピン６１，６２に正順に又は逆順に接触する間に、巻真回転検出機構８３により検出される巻真８０の回転の検出角度が所定量以下であること判別することにより、決定される。例えば、時計回りに針が回り接点バネ１がＡ方向に回転される場合には、接点バネ１が接点ピン６１に接触した後接点ピン６２に接触するまでに４回転程度の巻真８０のＡ方向への回転が検出され、接点バネ１が接点ピン６２に接触した後接点ピン６１に接触するまでに４４回転程度の巻真８０のＡ方向への回転が検出される。従って、例えば、接点ピン６１，６２間を接点バネ１の接点部４２が通過する間に４回転程度以上の巻真のＡ方向への回転が検出されるときは、接点端子部４２が、接点ピン６１から接点ピン６２の方へＡ方向に回転されたと決定され、Ａ方向への入力が３回転程度以下でＢ方向への入力がある場合には、接点ピン６２から接点ピン６１の方へＢ方向に回転されたと決定される。このような回転方向の決定がなされる時点で、直前に（最後に）接触したもの又は接触中のものが、接点ピン６２である場合には、順方向回転と判定されて順方向駆動信号Ｈａが出され、直前に接触したもの又は接触中のものが、接点ピン６１である場合には逆方向回転と判定されて、逆方向回転駆動信号Ｈｂが出されて、モータ５０の回転駆動及び日車の回転が行われることになる。このような判定は、例えば、時計用集積回路１６で行われる。
【００４１】
次に、以上の如く構成された接点装置としてのスイッチ装置２の動作について、図３から図７を参照して、より詳しく説明する。
【００４２】
時刻表示針が時計回りにＤ方向に回転している場合、表示時刻が午前１時頃〜午後９時過ぎ頃にあるときは、接点バネ１の接点端子部４２が接点ピン６１，６２から離れている。表示時刻が午後１０時頃になると、図３に示したように、Ａ方向に回転した接点バネ１の接点端子部４２が傾斜縁部４８の中間部で接点ピン６１の軸部６５（より詳しくは、先端側軸部分６５ａ（図８参照））に当接する。この状態では、接点バネ１の円弧状バネ部４０のバネ本体部４６は実質的に２７０度〜３００度の円弧範囲にわたってほぼ円周方向に延びており、先端部４１の突出部（尾部）４３は、その端部４４が回転体３１と規制板３９との間において凹部３３の入口ないし開口部に遊嵌された状態にある。
【００４３】
時刻表示針がＤ方向に時計回りに回転されるにつれて、２４時間車２８のＡ方向回転により接点バネ１がＡ方向に回転されるので、接点ピン６１の軸部６５が接点バネ１の接点端子部４２にＦ方向の力を及ぼして接点バネ１の円弧状バネ部４０のバネ本体部４６を撓ませる。先端部４１に対するこのＦ方向曲げ力は、接点バネ１の円弧状バネ部４０のバネ本体部４６の広範囲にわたる曲がり変形によって吸収される。なお、バネ１では、長い円弧状のバネ本体部４６は腕部４３によって片持ち支持されているので、該バネ本体部４６の撓み変形は、小さい力で行われ得る。従って、バネ本体部４６の幅（半径方向長さ）が比較的広くても、バネ力が過大になるのを避け得るから、製造が容易であり、小型化が容易に行われ得る。
【００４４】
なお、接点バネ１のＡ方向回転に伴い円弧状バネ部４０の先端の接点端子部４２にかかるＦ方向の力により、先端部４１の突出部（尾部）４３が、半径方向内向きに変位されて凹部３３内に深く侵入すると共に基体部３２に対して周方向にＢ方向に相対変位されて先端側側縁部４３ａで凹部３３の先端側側壁部３５に当接する。従って、２４時間車２８のＡ方向回転に伴う接点バネ１のその後のＡ方向回転に際しては、接点バネ１の先端部４１は、突出部（尾部）４３が（別の）案内部として働く側壁部３５によって案内されることにより、凹部３２の奥に向かってＧ１方向に変位する（図４）。従って、円弧状バネ４０の円周方向の拡がりが大きくて容易に撓むバネであるにもかかわらず、先端部４１が基体部３２に対してＢ方向に過度に変位されることなく、Ｇ１方向に変位され得る。この状態は、接点端子部４２の先端部４７が接点ピン６１の軸部６５に当接するまで進行し、接点端子部４２の先端部４７が接点ピン６１の軸部６５をＡ方向に越えると、接点バネ１の先端部４１は、バネ４０のＪ方向復元力の下で、傾斜縁部４９に沿って接点ピン６１の軸部６５に接触した後、接点ピン６１から離れる。ここで、接点バネ１の傾斜縁部４９が接点ピン６１から離れる際に接点ピン１によって接点バネ部１に加えられていた押圧力を徐々にゼロにすべく、回転中心軸線Ｃから傾斜縁部４９の各部への距離が徐々に（連続的且つ滑らかに）減少するように、傾斜縁部４９はゆるやかに傾斜している。その結果、接点バネ部１が接点ピン６１から離れた際、接点バネ部１に振動等が発生する虞れを実際上避け得る。
【００４５】
側壁部３５は、典型的には、突出部４３を半径方向内向きＧ１に中心軸線Ｃに向かって案内させるように、延びている。但し、全体としてほぼ半径方向内向きに案内し得る限り、半径方向に対して傾斜した向きに案内してもよい。側壁部３５は、そのような案内をし得る限り、ほぼ半径方向に直線的に延びていても、半径方向の少なくとも一箇所で周方向変位を規制し得るように、周方向に突出した突起になっていてもよい。
【００４６】
なお、先端部４１の突出部（尾部）４３は、その端部４４が回転体３１と規制板３９との間の狭い隙間に遊嵌されているので、接点端子部４２にかかる力が板状の接点端子部４２が延在平面に対して斜交することによる先端部４１がねじり力を受けることがあっても、先端部４１の突出部（尾部）４３は、その端部４４が回転体３１と規制板３９との間の狭い隙間から外れる虞れがない。
【００４７】
この例では、接点端子部４２の傾斜縁部４８，４９と比較して先端部４７の曲率が大きいけれども、所望ならば、全体が一定の曲率の円弧からなっていても、傾斜縁部４８，４９が直線状であってもよい。また、傾斜縁部４８，４９の形状がほぼ同様である代わりに、例えば、傾斜縁部４８と比較して傾斜縁部４９がより長く（傾斜がより小さく）てもよい。
【００４８】
接点バネ１が更にＡ方向に回転されると、接点バネ１の接点端子部４２が傾斜縁部４８で接点ピン６２の軸部６３（より詳しくは軸部分６３ａ）に当接する。接点バネ１が更にＡ方向に回転されると、円弧状バネ部４０の先端の接点端子部４２にかかるＫ方向の力により、突出部（尾部）４３が、半径方向内向きに変位されて凹部３３内に深く侵入すると共に突出部４３の先端側側縁部４３ａが凹部３３の先端側側壁部３５に再度当接し、その後、該側壁部３５に案内されて、半径方向内向きにＭ１方向に変位する（図５）。接点端子部４２の先端部４７が接点ピン６２の軸部６３をＡ方向に越えると、接点バネ１の先端部４１は、Ｎ方向復元力の下で、傾斜縁部４９に沿って接点ピン６２の軸部６３に接触した後、接点ピン６２から離れる。なお、方向Ｋ，Ｍ１，Ｎは、接点バネ１に固定した系で見た場合には、方向Ｆ，Ｇ１，Ｊと同じである。
【００４９】
接点バネ１がＡ方向に回転している際に、接点ピン６１に接触し更に該接点ピン６１から離れた後、６０度程度の回転で接点ピン６２に当接すると、接点バネ１の接点端子部４２が接点ピン６１に接触した後接点ピン６２に接触するまでの間における巻真８０の回転量が数回転程度にとどまることが回転検出部８３による検出からわかるので、前述のように、集積回路１６から順方向日回し駆動信号Ｈａがモータ５０に与えられて、所定量の日回しが行われる。
【００５０】
次に、時刻表示針が反時計回りにＥ方向に回転され、スイッチ車３０及びこれの一部をなす接点バネ１がＢ方向に回転される場合について説明する。
【００５１】
接点端子部４２が接点ピン６１，６２から離れて実際上自由な状態にあった接点バネ１がＢ方向に回転されると、接点バネ１の接点端子部４２がその傾斜側縁部４９で接点ピン６２の軸部６３に当接する。スイッチ車３０が更にＢ方向に回転されると、接点バネ１の接点端子部４２は、接点ピン６２の軸部６３により、傾斜側縁部４９にＰ方向の力を受ける。従って、図６に示したように、接点端子部４２の突出部（尾部）４３が、基部側側縁部４３ｂで凹部３２の案内部としての基部側側壁部３４に当接する。その後は、接点端子部４２の突出部４３が側縁部４３ｂで凹部３２の側壁３４によってＱ１方向に案内されるので、スイッチ車３０のＢ方向回転に伴い、接点端子部４２は、Ｂ方向に回転されつつＱ１方向に変位される。
【００５２】
案内部としての側壁部３４は、典型的には、突出部４３を半径方向内向きＱ１に中心軸線Ｃに向かって案内させるように、延びている。但し、全体としてほぼ半径方向内向きに案内し得る限り、半径方向に対して傾斜した向きに案内してもよい。側壁部３４は、そのような案内をし得る限り、ほぼ半径方向に直線的に延びていても、半径方向の少なくとも一箇所で周方向変位を規制し得るように、周方向に突出した突起になっていてもよい。この例の場合、例えば、窪み部３７が半径方向に対して傾斜した向きへの突起部（尾部）４３の変位を許容するようになっていてもよい。
【００５３】
接点バネ１では、バネ部４０が１８０度よりもはるかに大きい角度範囲にわたって延びた円弧状バネ本体部４６を有するので、バネ本体部４６のうち接点端子部４２とは直径方向の反対側に位置するバネ部分４６ｂがほぼＱ１方向に変位されるように、バネ本体部４６が基端部分４６ｃで撓む。スイッチ車３０の更なるＢ方向回転に応じて、接点端子部４２の突出部（尾部）４３が凹部３２の側壁部３４に案内されてＱ１方向に入り込む。接点端子部４２の先端部４７が接点ピン６２の軸部６３をＢ方向に越えると、接点バネ１の先端部４１の接点端子部４２は、復元力の作用下で、傾斜縁部４８に沿って接点ピン６２の軸部６３に接触した後、接点ピン６２から離れる。なお、接点バネ１の傾斜縁部４８が接点ピン６２から離れる際に接点ピン１によって接点バネ部１に加えられていた押圧力を徐々にゼロにすべく、回転中心軸線Ｃから傾斜縁部４８の各部への距離が徐々に（連続的且つ滑らかに）減少するように、傾斜縁部４８はゆるやかに傾斜している。その結果、接点バネ部１が接点ピン６２から離れた際、接点バネ部１に振動等が発生する虞れを実際上避け得る。
【００５４】
ここで、接点バネ１が凹部３２の側壁部３４を欠くと仮定すると、接点端子部４２によるＰ方向の力によって接点バネ１の円弧状バネ部４０のバネ本体部４６がＰ方向に変位され、接点端子部４２が接点ピン６２の前面をＢ方向に通る（乗り越える）前に、円弧が開かれる向きにバネ本体部４６が大きく変形される虞れがあり、場合によっては、接点端子部４２が接点ピン６２を乗越え難くなる虞れもあり得るけれども、この接点バネ１では、凹部３２が形成されその側壁部３４が基体部３２に対する接点端子部４２のＡ方向の相対変位を規制し、接点端子部４２をＱ１方向に案内するので、接点端子部４２がＱ１方向に変位されつつ接点ピン６２に対してＢ方向に確実に相対回転され得、接点端子部４２が接点ピン６２の前面を確実に通過し得る。
【００５５】
また、接点バネ１の円弧状バネ部の周方向延在範囲（周方向の拡がり）が小さい場合にも、不都合が生じる虞れがある。すなわち、仮に、接点バネが、図９に示したように、比較的小さい角度範囲にわたって延びた円弧状バネ部１４０を備えるもの１０１である場合不都合が生じる。図９の比較例において、図１から図８に示した部材や要素や部位に対応する部分には、同一の参照符号の１００の位に１を付してある。接点バネ１０１は、軸１２９のまわりで回転されるように、軸１２９に対して基体部１３２で固定されている。接点バネ１０１がＢ方向に回転される際に、図９の（ａ）に示したように、力のかかる方向Ｕに対して実質的湾曲点１４６ｄの向きが十分にずれている状態では、円弧状バネ部１４０のバネ部分１４０ｇが大きく湾曲されるように撓む余地があるから、一応、所望の動作が期待され得る。しかしながら、接点バネ１０１がＢ方向に回転される際に、（ｂ）に示したように、力のかかる方向Ｕと接触先端部１４１から実質的湾曲点１４６ｄまでの部分１４０ｇの向き（延在方向）とがほぼ一致する状態になると、円弧状バネ部１４０の湾曲点１４６ｄから基体部１３２までの基端側部分１４０ｈの長さが短くて該部分１４０ｈに十分な撓み変形が期待し難いときは、接点ピン１６２が円弧状バネ部１４０に対して及ぼすＵ方向の力が、円弧状バネ部１４０の撓み変形（折曲）力としてよりもむしろ圧縮力として働いて、円弧状バネ部１４０の関連部分１４０ｇに座屈が生じ、バネに所期の動作を期待し難く、バネの破損すら生じる虞れがある。
【００５６】
ところが、この接点バネ１では、円弧状バネ部４０のバネ本体部４６が１８０度をはるかに越える角度範囲にわたって周方向に延びているので、接点ピン６２から接点端子部４２に加えられる力Ｐに応じて、バネ本体部４６の基部に近い部分４６ｃが撓むから、バネ本体部４６が柔軟に湾曲されて、接点端子部４２が接点ピン６２を確実に乗り越え得る。
【００５７】
なお、接点バネ部１の円弧状バネ部４０のバネ本体部４６に２７０度程度の周方向の拡がりがなくても、バネ本体部４６が約１８０度程度の範囲で延びている場合には、バネ本体部４６の部分４６ｇが曲率が大きくなる向きに撓む余地がある（図６の場合でも、同様な撓みが示されている）ので、接点バネ１０１のように座屈が生じる虞れは、実際上ない。
【００５８】
２４時間車２８のＢ方向回転に伴って接点バネ１の接点端子部４２が接点ピン６２から離れた後更にＢ方向に回転されると、接点端子部４２の傾斜側縁部４９が接点ピン６１の軸部６５に当接する。
【００５９】
その後における接点ピン６１に対する接点バネ１の変位は、接点ピン６２に対する接点バネ１の前述の変位と同様である。すなわち、２４時間車２８の更なるＢ方向回転に応じて、接点端子部４２が、傾斜縁部４９で接点ピン６１に対して摺動し、接点ピン６１に対してＢ方向に且つ基体部３２に対してＡ方向に相対変位されつつ半径方向内向きに押込まれて、突出部（尾部）４３の側縁部４３ｂで凹部３３の側縁部３４に当接する。その後は、２４時間車２８のＢ方向回転に応じて、頂部４７が接点ピン６１に接触するまで、接点端子部４２が、凹部３３の側壁部３４で案内されて、基体部３２に対して半径方向内向きにＷ１方向に押込まれる。接点端子部４２の先端部４７が接点ピン６２の軸部６３をＢ方向に越えると、接点バネ１の先端部４１の接点端子部４２は、復元力の作用下で、傾斜縁部４８に沿って接点ピン６１の軸部６５に接触した後、接点ピン６１から離れる。
【００６０】
接点バネ１がＢ方向に回転している際に、接点ピン６２に接触し更に該接点ピン６２から離れた後、６０度程度の回転で接点ピン６１に当接すると、接点バネ１の接点端子部４２が接点ピン６２に接触した後接点ピン６１に接触するまでの間における巻真８０の回転量が数回転程度にとどまることが回転検出部８３による検出からわかるので、前述のように、集積回路１６から逆方向日回し駆動信号Ｈｂがモータ５０に与えられて、所定量の逆向きの日回しが行われる。
【００６１】
以上においては、二本の接点ピン６１，６２が周方向に間隔をおいて配置されている例について説明したけれども、周方向に間隔をおいて位置する接点がある限り、一つの接点ピン構造体に、回転中心軸線Ｃに関して周方向に間隔をおいて二つの接点領域が形成されていてもよい。例えば、図７において、接点ピン６２について想像線で示したように、絶縁領域９１で相互に分離された接点領域９２，９３を備える一つの接点ピン構造体であってもよい。この場合、接点領域９２が接点ピン６１と同様な役割を果たし、接点領域９３が接点ピン６２と同様な役割を果たす。なお、接点領域は、電気絶縁性の軸体の外周に形成された円弧状の接点領域層からなっていてもよい。
【図面の簡単な説明】
【００６２】
【図１】本発明による好ましい一実施例の接点バネを備えたスイッチ装置を有する電子時計の平面説明図。
【図２】図１の電子時計のＩＩ−ＩＩ線断面説明図。
【図３】図１の電子時計のスイッチ装置において、接点バネの接点端子が接点ピンに丁度当接する状態を表したもので、図２のＩＩＩ−ＩＩＩ線断面説明図。
【図４】図３のスイッチ装置において、接点バネがＡ方向に回転してＡ方向上流側の接点ピンに押付けられ、接点端子の突起部が基体部の凹部の先端側側壁に押付けられ該側壁により案内された状態で半径方向内向きに変位されている状態を示した図３と同様な説明図であって、図２のＩＶ−ＩＶ線断面説明図。
【図５】図３のスイッチ装置において、接点バネがＡ方向に回転してＡ方向下流側の接点ピンに押付けられ、接点端子の突起部が基体部の凹部の先端側側壁に押付けられ該側壁により案内された状態で半径方向内向きに変位されている状態を示した図４と同様な断面説明図。
【図６】図３のスイッチ装置において、接点バネがＢ方向に回転してＢ方向上流側の接点ピンに押付けられ、接点端子の突起部が基体部の凹部の先端側側壁に押付けられ該側壁により案内された状態で半径方向内向きに変位されている状態を示した図４と同様な断面説明図。
【図７】図３のスイッチ装置において、接点バネがＢ方向に回転してＢ方向下流側の接点ピンに押付けられ、接点端子の突起部が基体部の凹部の先端側側壁に押付けられ該側壁により案内された状態で半径方向内向きに変位されている状態を示した図４と同様な断面説明図。
【図８】図１の電子時計に関する図７のＶＩＩＩ−ＶＩＩＩ線断面説明図。
【図９】比較例のスイッチ装置についての図６と同様な説明図であって、（ａ）は接触後の早い段階の当接状態を示した平面説明図、（ｂ）は接点ピンに対する接点バネの押付けが進行した状態についての（ａ）と同様な平面説明図。
【符号の説明】
【００６３】
１  接点バネ（接点バネ構造体）
２  スイッチ装置（接点装置）
３  電子時計
１１  地板
１２  輪列受
１３  回路ブロック
１４  回路基板
１４ａ  接点端子
１４ｂ，１４ｃ  パターン部分
１６  集積回路
１７  電池
１８  モータ
２０  時計輪列
２５  日の裏車
２６  時車
２８  ２４時間車
２９  ２４時間真
３０  スイッチ車
３１  回転円板部
３２  基体部
３３  凹部
３４  基部側側壁
３５  先端側側壁
３６  底壁
３７  窪み部
３９  規制板
４０  円弧状バネ部
４１  先端部
４２  接点部
４３  突起部
４３ａ  先端側側縁部
４３ｂ  基端側側縁部
４４  突出端部
４５  腕部
４６  円弧状バネ本体部
４７  中央頂点部
４８  基端側傾斜縁部
４９  先端側傾斜縁部
５０  カレンダ用モータ
５２  日回し用輪列
６１，６２  接点ピン
６３，６３ａ，６３ｂ  軸部
６４  フランジ状部
６５，６５ａ，６５ｂ  軸部
６６  フランジ状部
８０  巻真
８３  回転検出機構
Ａ，Ｂ，Ｄ，Ｅ  回転方向
Ｃ，Ｃ１  回転中心軸線
Ｆ，Ｋ，Ｐ  力の方向
Ｇ１，Ｍ１，Ｑ１，Ｗ１  変位方向
Ｊ，Ｎ  戻り方向
【図１】
2006214887.tif 000003
【図２】
2006214887.tif 000004
【図３】
2006214887.tif 000005
【図４】
2006214887.tif 000006
【図５】
2006214887.tif 000007
【図６】
2006214887.tif 000008
【図７】
2006214887.tif 000009
【図８】
2006214887.tif 000010
【図９】
2006214887.tif 000011